(57)【要約】【課題】  レンズ枠を移動させるためのガイド機構のガイド長さを確保してモジュールの小型化と強度確保を図ることができるレンズ駆動モジュールを提供する。【解決手段】  鏡筒ホルダ４５の両端のガイド軸４６を嵌合穴１０１、１０２に嵌合して鏡筒ホルダ４５の往復移動を支持し、大型化することなく支持長さを十分に確保する。【選択図】      図５
2007078907.tif 000002
【特許請求の範囲】
【請求項１】
レンズ枠に保持されたレンズ群を備え、
前記レンズ群を光軸方向に往復移動自在にケースに支持し、
前記ケースに対する前記レンズ枠の移動を案内するためのガイド部材を備え、
前記レンズ枠を往復移動させる移動手段を備えたレンズ駆動モジュールにおいて、
前記ガイド部材は、
前記レンズ枠側に設けられたガイドと、
前記レンズ群の移動方向の両端における前記ケースにそれぞれ設けられ前記ガイドを摺動支持する摺動支持部材と
からなることを特徴とするレンズ駆動モジュール。
【請求項２】
請求項１において、
前記ガイド部材の前記ガイドは、前記レンズ枠に一体に設けられ該レンズ枠の往復移動方向に沿って延びるガイド軸であり、
前記ガイド部材の摺動支持部材は、前記ガイド軸の両端がそれぞれ摺動自在に嵌合して前記レンズ枠を支持する支持穴部材である
ことを特徴とするレンズ駆動モジュール。
【請求項３】
請求項１において、
前記ガイド部材の前記ガイドは、前記レンズ枠の往復移動方向に沿って延びて前記レンズ枠に形成される溝穴部材であり、
前記ガイド部材の摺動支持部材は、前記溝穴部材の両端部にそれぞれ摺動自在に嵌合して前記レンズ枠を支持するガイド部材である
ことを特徴とするレンズ駆動モジュール。
【請求項４】
請求項１〜３のいずれか一項において、
前記ガイド部材は樹脂製であることを特徴とするレンズ駆動モジュール。
【請求項５】
請求項１〜４のいずれか一項において、
前記移動手段はステッピングモータであり、
前記ステッピングモータが、コア部の端にヨーク連結部が一体に設けられた鉄心及び前記コア部に巻き付けられた励磁コイルを有して前記ベースの一面に沿って配置されたコイルブロック、前記ヨーク連結部に連結された端部以外の磁路部分が前記コイルブロックに重なることなく設けられ、この磁路部分にロータ通孔を有したヨーク、及び前記ロータ通孔内に配置されたロータを備えた
ことを特徴とするレンズ駆動モジュール。
【請求項６】
請求項１〜５のいずれかに記載のレンズ駆動モジュールに撮像素子を備えたことを特徴とするカメラモジュール。
【発明の詳細な説明】
【技術分野】
【０００１】
本発明は焦点調節等のために移動される光学部品を備えたレンズ駆動モジュールに係り、特に、薄型電子機器、例えば、カード形デジタルカメラやカメラ付き携帯電話等に搭載するのに適するレンズ駆動モジュール及びこれを備えたカメラモジュールに関する。
【背景技術】
【０００２】
従来より、小型で薄型の光学モジュールを備えたカメラモジュールが、携帯電話機等の小型、薄型の携帯端末に搭載されている。これらのカメラモジュールに用いられる、ＣＣＤ型イメージセンサやＣＭＯＳ型イメージセンサ等の固体撮像素子は高画素化が進み、より高品質の画像が求められるようになっているため、オートフォーカス、光学ズーム、マクロ撮影等の機能が追加されている。
【０００３】
また、オートフォーカス機能として、ステッピングモータにより光学部品を移動させる構成が開示されている（例えば、特許文献１参照。）。また、オートフォーカス機能とズーム機能を併せ持つ構成も知られている。この特許文献１における構成では、焦点合わせのためにレンズ枠を光軸方向に移動させているが、レンズ枠は、光軸に沿って伸びるガイド軸に摺動自在に支持されている。
【０００４】
【特許文献１】特開２００５−１４８１９７号公報
【０００５】
撮像素子の高画素化が進み、撮像素子に対する光軸の傾きは精度が要求されている。一方で、携帯機器等に搭載するために小型化や低価格化が要求されている。光軸に対する傾きに関しては、ガイド軸とガイド穴のクリアランスとガイド長（支持長さ）さが重要であり、支持長さが長い方が有利であるが、ガイドの径と長さの関係には限界があり小型化には限度があるのが実情である。また、低価格化のため、ガイド軸を樹脂化することが考えられるが、樹脂成形の加工上の問題やガイド軸の強度の問題を考えると、性能を維持して樹脂化するためにはガイド軸を太くする等、小型化に反する構成にする必要がある。
【発明の開示】
【発明が解決しようとする課題】
【０００６】
本発明は上記状況に鑑みてなされたもので、レンズ枠を移動させるためのガイド機構のガイド長さを確保してモジュールの小型化と強度確保を図ることができるレンズ駆動モジュールを提供することを目的とする。
【０００７】
また、本発明は上記状況に鑑みてなされたもので、レンズ枠を移動させるためのガイド機構のガイド長さを確保してモジュールの小型化と強度確保を図ることができるレンズ駆動モジュールを備えたカメラモジュールを提供することを目的とする。
【課題を解決するための手段】
【０００８】
前記目的を達成するための本発明の第１の態様は、レンズ枠に保持されたレンズ群を備え、前記レンズ群を光軸方向に往復移動自在にケースに支持し、前記ケースに対する前記レンズ枠の移動を案内するためのガイド部材を備え、前記レンズ枠を往復移動させる移動手段を備えたレンズ駆動モジュールにおいて、前記ガイド部材は、前記レンズ枠側に設けられたガイドと、前記レンズ群の移動方向の両端における前記ケースにそれぞれ設けられ前記ガイドを摺動支持する摺動支持部材とからなることを特徴とするレンズ駆動モジュールにある。
【０００９】
第１の態様では、レンズ群の移動方向の両端でレンズ枠を支持することができるので、ガイド長さ(支持長さ)を十分に確保することができ、支持精度を向上させることができる。
【００１０】
本発明の第２の態様は、第１の態様において、前記ガイド部材の前記ガイドは、前記レンズ枠に一体に設けられ該レンズ枠の往復移動方向に沿って延びるガイド軸であり、前記ガイド部材の摺動支持部材は、前記ガイド軸の両端がそれぞれ摺動自在に嵌合して前記レンズ枠を支持する支持穴部材であることを特徴とするレンズ駆動モジュールにある。
【００１１】
第２の態様では、ガイド軸の両端を支持穴部材に嵌合してレンズ枠を支持するので、支持された部分の間の長さをレンズ枠の全体の支持長さとすることができる。
【００１２】
本発明の第３の態様は、第１の態様において、前記ガイド部材の前記ガイドは、前記レンズ枠の往復移動方向に沿って延びて前記レンズ枠に形成される溝穴部材であり、前記ガイド部材の摺動支持部材は、前記溝穴部材の両端部にそれぞれ摺動自在に嵌合して前記レンズ枠を支持するガイド部材であることを特徴とするレンズ駆動モジュールにある。
【００１３】
第３の態様では、溝穴部材の両端にガイド部材を嵌合してレンズ枠を支持するので、摺動支持部材の剛性を確保することができる。
【００１４】
本発明の第４の態様は、第１〜第３のいずれかの態様において、前記ガイド部材は樹脂製であることを特徴とするレンズ駆動モジュールにある。
【００１５】
第４の態様では、ガイド部材を樹脂化することでコストを低減することができる。
【００１６】
本発明の第５の態様は、第１〜第４のいずれかの態様において、前記移動手段はステッピングモータであり、前記ステッピングモータが、コア部の端にヨーク連結部が一体に設けられた鉄心及び前記コア部に巻き付けられた励磁コイルを有して前記ベースの一面に沿って配置されたコイルブロック、前記ヨーク連結部に連結された端部以外の磁路部分が前記コイルブロックに重なることなく設けられ、この磁路部分にロータ通孔を有したヨーク、及び前記ロータ通孔内に配置されたロータを備えたことを特徴とするレンズ駆動モジュールにある。
【００１７】
第５の態様では、ベースの一面に沿ってコイル等の部材が備えられたステッピングモータを使用することができる。
【００１８】
本発明の第６の態様は、第１〜第５のいずれかに記載のレンズ駆動モジュールに撮像素子を備えたことを特徴とするカメラモジュールにある。
【発明の効果】
【００１９】
本発明のレンズ駆動モジュールは、レンズ枠を移動させるためのガイド機構のガイド長さを確保してモジュールの小型化と強度確保を図ることができるレンズ駆動モジュールとすることができる。
【００２０】
また、本発明のカメラモジュールは、レンズ枠を移動させるためのガイド機構のガイド長さを確保してモジュールの小型化と強度確保を図ることができるレンズ駆動モジュールを備えたカメラモジュールとすることができる。
【発明を実施するための最良の形態】
【００２１】
図１乃至図７に基づいて本発明の第１実施形態例を説明する。
【００２２】
図１には本発明の第１実施形態例に係るレンズ駆動モジュールを備えたカメラモジュールの外観状態、図２にはカメラモジュールの分解斜視状態、図３にはレンズ駆動モジュールの平面視状態、図４には図３中のＩＶ−ＩＶ線矢視状態、図５にはガイド軸と鏡筒との関係を表す断面視状態、図６にはステッピングモータ斜視状態、図７にはステータの断面視状態を示してある。
【００２３】
図１から図７中符号２１で示す光学モジュール例えばレンズ駆動装置は、カード形デジタルカメラやカメラ付き携帯電話等の薄型電子機器に搭載される。このレンズ駆動装置２１は、ベースプレート２３と、カバー２５と、ステッピングモータ２６と、光学部品例えばレンズを備えたレンズ枠である鏡筒２７と、移動手段２８と、歯車列として減速歯車列２９とを具備している。
【００２４】
回路基板２２は硬質なボードであって、その一面に、ＣＣＤまたはＣＭＯＳ等の撮像素子３０が実装されている。回路基板２２の前記一面にはベースプレート２３が被着されている。このベースプレート２３は、例えば長方形であって、その長手方向一端側部分に撮像素子３０を収容するとともに鏡筒２７の配置を許すための孔２３ｅを有している。位置決め用ガイド孔２５ｂを有するカバー２５は前記ガイド孔２５ｂに相対する位置に位置決めピン２３ｇを設けたベースプレート２３に配置される。カバー２５は鏡筒２７の入射面と対向する窓孔２５ａを有している。
【００２５】
カバー２５はステッピングモータ２６、減速歯車列２９をベースプレート２３との間に挟んで支持、固定する部材を兼ねている。このカバー２５はベースプレート２３に複数例えば４本の設けられた位置決めピン２３ｇに位置決めされつつカバー２５を配置し、この位置決めピン２３ｇをかしめ装置等で熱変形させることにより接合、固定されている。
【００２６】
ステッピングモータ２６は、例えばステップ角が１８０°の２極のモータであって、図３及び図６に示すようにコイルブロック３５と、ヨーク３６と、ロータ３７とを備えている。コイルブロック３５とヨーク３６とはステ−タを形成している。
【００２７】
コイルブロック３５は、鉄心３８及び励磁コイル３９を有している。鉄心３８は、コア部３８ａ（図７参照）の長手方向両端に夫々ヨーク連結部３８ｂ、３８ｃを一体に設けてなる。好ましい例として、ロータ３７を正転させる時と逆転させる時の回転速度が同じとなるように一対のコイルブロック３５を設けている。特に、本実施形態ではこれらのコイルブロック３５を一体とするためにヨーク連結部３８ｃが共用されているため、この取付け部３８ｃの両側にコア部３８ａを介してヨーク連結部３８ｂが夫々設けられている。励磁コイル３９はコア部３８ａに夫々巻き付けられている。
【００２８】
励磁コイル３９の励磁によって発生する磁束を導くヨーク３６は、平板状であって、ヨーク連結部３８ｂ、３８ｃに連結される端部３６ｂ、３６ｃを有している。一対の端部３６ｂはヨーク連結部３８ｂに夫々連結され、これら一対の端部３６ｂ間に位置する他の一つの端部３６ｃはヨーク連結部３８ｃに連結されている。ヨーク３６の端部３６ｂ、３６ｃを除いた磁路部分３６ａは、コイルブロック３５に重なることなく、コイルブロック３５の側方に突出されている。この磁路部分３６ａにはロータ通孔４０が形成されている。
【００２９】
磁路部分３６ａとコイルブロック３５との間には空隙４１が形成されている。空隙４１には励磁コイル３９の側面の少なくとも一部が臨んでいる。図３及び図６中符号４２はロータ通孔４０の周りに設けた磁路部分３６ａの凹みを示している。この凹み４２とロータ通孔４０との間、及び空隙４１とロータ通孔４０との間は、いずれも磁路断面積が極小で、きわめて容易に磁気飽和する。
【００３０】
このため、ロータ通孔４０の内周面は前記磁路断面積が極小な部分で実質的に区切られている。この区切られた領域は、夫々磁極端として機能し、励磁コイル３９に駆動パルスが印加される度にＳ極又はＮ極が前記磁極端にあらわれるようになっている。ここでは３つの磁極端を有しており、各磁極端に励磁コイル３９に発生する磁力線を伝播するために、磁極端と励磁コイル３９の端部が磁気的に接続されている。また、３つの磁極端の内、一つは二つの励磁コイルの端部に磁気的に接続されている。
【００３１】
このロータ通孔４０内にはロータ３７が配置されている。ロータ３７の外周部は周方向に隣接する所定領域ごとに互いに異なる極性に着磁されている。したがって、ステッピングモータ２６は、その励磁コイル３９に図示しないモータドライバを介して駆動パルスが印加されるたびに、前記磁極端とロータ３７の磁極との間の磁気作用によって、１８０°のステップ角で回転される。ロータ３７には駆動歯車４３が連結又は一体に成形されている。ロータ３７の回転軸４４の両端部は、ベースプレート２３とカバー２５とに回転自在に支持されている。
【００３２】
このステッピングモータ２６は、ベースプレート２３の縁に沿って配置されている。具体的には図３に示すようにコイルブロック３５をベースプレート２３の前記長手方向他端側部分の縁２３ａに沿わせて配置されている。コイルブロック３５とヨーク３６はヨーク連結部３８ｂ及びこれに連結されたヨーク３６の端部３６ｂ、又はヨーク連結部３８ｃ及びこれに連結されたヨーク３６の端部３６ｃの端面において、磁路を形成するのに必要なヨーク３６と鉄心３８を密着させる力を少なくとも１箇所以上の溶接による接合がされることで一体化されるとともに固定されている。
【００３３】
ステッピングモータ２６は鉄心のヨーク連結部３８ｂおよびヨーク端部３６ｂの位置決め孔３６ｄをベースプレート２３に設けた位置決めピン２３ｇに支持されるとともにカバー２５との間にステッピングモータ２６を挟んで固定できる。この固定により、図３に示すように励磁コイル３９の周面がベースプレート２３に沿って配置されるとともに、磁路部分がベースプレート２３の一面に沿って配置される。さらに、鉄心３８の中央部３８ｃにはベースプレート２３の縁２３ａから平面方向に突出するように励磁コイルの端末が接続されるコイルリード基板が鉄心３８に固着されている。尚、図６中の符号で６１は通孔であり、後述する送りねじ５１等を組み立てる際に用いられる。
【００３４】
前記鏡筒２７はその内部に収められた複数のレンズ２７ａを有している。鏡筒２７の外周には鏡筒ホルダ４５が取付けられ、鏡筒ホルダ４５の上下にはガイドとしてのガイド軸４６が一体に設けられている。一方、カバー２５には支持穴部材としての嵌合穴１０１が設けられ、嵌合穴１０１は基準面２３ｆに対して垂直方向に延びて形成され、嵌合穴１０１には上部のガイド軸４６が摺動自在に嵌合している。また、ベースプレート２３には支持穴部材としての嵌合穴１０２が設けられ、嵌合穴１０２には下部のガイド軸４６が摺動自在に嵌合している。ガイド軸４６が嵌合穴１０１、１０２を摺動することにより、傾斜が抑制された状態で鏡筒２７の往復移動がガイドされるようになっている。この移動により、撮像素子３０に対する鏡筒２７の合焦点動作が行われる。
【００３５】
嵌合穴１０１、１０２に嵌合している両端のガイド軸４６の間の長さが鏡筒２７のガイド長さ（支持長さ）Ｌとなり（図５参照）、十分な長さが確保されて傾きを小さくすることができる。ガイド軸部材に対して鏡筒２７を摺動自在にする構成とした場合（従来の構成）、支持長さＬを確保するためにはモジュール全体の厚さを厚くする必要があるが、ガイド軸４６の間の長さが支持長さＬとなる本実施形態例の構成では、モジュール全体の厚さを厚くすることなく十分な支持長さを確保することができる。即ち、従来と同じ厚さのモジュールにする場合、鏡筒２７のガイドを行う支持長さを長くすることができる。
【００３６】
従って、支持長さＬが確保された鏡筒２７の移動精度は両端のガイド軸４６と嵌合穴１０１、１０２との嵌合部に依存するため、移動精度を左右する部位の長さを短くすることができる。このため、ガイド軸４６の径Ｄ及び嵌合穴１０１、１０２の内径の高精度化が容易になり、傾きを一層抑制することが可能になる。また、高精度化が必要な部位を短くできるので、金属を用いた場合と同じサイズにより、即ち、ガイド軸４６の径Ｄを太くすることなく傾斜を抑制することができ、鏡筒２７及びガイド軸４６を一体の樹脂で成形することができる。樹脂化することにより、部品点数と組み立て工数が削減され、コストを大幅に低減することが可能になる。
【００３７】
既述のように支持された鏡筒２７は、ステッピングモータ２６に対してベースプレート２３の長手方向一端側にずらして配置されていて、その光軸Ｏはロータ３７の軸線Ａと平行である。ステッピングモータ２６に近いガイド軸４６を保持するベースプレート２３にはコイルばね４７が配置されている。このコイルばね４７はガイド軸４６が一体に設けられた鏡筒ホルダ４５を上側に（撮像素子３０から離れる方向）付勢している。
【００３８】
鏡筒ホルダ４５の外周には外方突出部４８が突設されている。この外方突出部４８は例えばステッピングモータ２６側に突出されていて、鏡筒ホルダ４５に連続している。
【００３９】
鏡筒ホルダ４５を移動させる（鏡筒２７を光軸Ｏに沿って移動させる）移動手段２８は、送りねじ５１とナット部材５２とを備えている。図４に示すように送りねじ５１は歯車軸５３の一部をなしている。歯車軸５３はカバー２５及びこれに近接して対向している外方突出部４８のナット部材５２に支持され、その片端部はカバー２５支持されている。ナット部材５２は外方突出部４８に固定されていて、これには送りねじ５１が噛み合わされて通されている。したがって、歯車軸５３が回転されることにより、その回転は、移動手段２８により鏡筒ホルダ４５を送りねじ５１の軸方向に沿って移動させる運動に変換される。このため、鏡筒２７がその光軸Ｏに沿って移動される。
【００４０】
この移動手段２８とロータ３７とは、ベースプレート２３の一面側に配置された減速歯車列２９を介して接続されている。図３及び図４に示すように減速歯車列２９は、平歯車からなる複数例えば第１〜第３の減速歯車５５〜５７を有している。第１の減速歯車５５はロータ３７の駆動歯車４３に噛み合わされ、この第１の減速歯車５５と一緒に回転される第２の減速歯車５６は第３の減速歯車５７に噛み合わされ、更に、この第３の減速歯車５７は歯車軸５３に取付けられている。第１の減速歯車５５及び第２の減速歯車５６を支持した歯車軸５８の両端部はベースプレート２３とカバー２５とに回転自在に支持されている。したがって、ステッピングモータ２６が駆動してそのロータ３７が回転されると、その回転は減速歯車列２９により減速されて移動手段２８に与えられる。
【００４１】
ガイド軸４６に沿って移動する鏡筒２７の原点を検出する為の検知部として、フォトインタラプタ７１がベースプレート２３の凹部切り欠きに配置されるとともに前記鏡筒ホルダ４５の外周一部に突出部が設けられフォトインタラプタ７１と平面的には重ならず断面的な移動で前記突出部の移動を感知する。フォトインタラプタ７１のＰＩ端子７１ａに予め半田接合等で接続されるＰＩ引き出し基板７３のガイド孔７３ａがベースプレート２３の位置決めピン２３ｇにより支持されている。フォトインタラプタ７１の上面に配置されるＰＩ押さえ７２は、一端をベースプレート２３と鉄心３８の間に挟まれ、他の一端をベースプレート２３とカバー２５に挟まれ、ベースプレート２３とフォトインタラプタ７１の段差により生ずる弾性力でフォトインタラプタ７１をベースプレート２３に押し付け固定する。このＰＩ引き出し基板７３はベースプレート２３の縁２３ａより突出していることで接続基板（図示なし）により回路基板２２との接続を容易にしている。
【００４２】
前記フォトインタラプタ７１には、ベースプレート２３の位置決めピン２３ｈで位置決めされるＰＩ引き出し基板７３が予め実装される。ベースプレート２３上方からフォトインタラプタ７１が組み込まれ、ベースプレート２３の位置決めピン２３ｇに支持され弾性を有するＰＩ押さえ７２を介して、カバー２５によりベースプレート２３に押し付けられることで、原点位置の変動がなく信頼性も向上する。さらにフォトインタラプタ７１を他部品と同一の方向から組み込めるため組立性が向上する。
【００４３】
図６，７に示すように前記ステータは、ロータ通孔４０を有するヨーク３６と、鉄心３８と励磁コイル３９で構成されるコイルブロック３５とを溶接によるサブ組立で一体化され、位置決め基準穴を有し、ステータの磁路を形成するのに必要なヨーク３６と鉄心３８を密着させる力を溶接で確保できるため、ベースプレートへの組み込みが容易となり、またカバー２５とベースプレート２３の接合方法が簡略化できる。
【００４４】
前記ベースプレート２３から突出した位置決めピン２３ｇと、前記位置決めピン２３ｇに対応するガイド穴２５ｂを有するカバー２５の接合を、前記位置決めピン２３ｇを装置等で熱変形を行うことで、複数の位置決めピン２３ｇを同時に熱で変形させ、ベースプレート２３とカバー２５の接合を行えるため、組立て工数の削減が可能となる。また、ねじ等の接合用部品が不要となるため、部品点数が削減できコストダウンを可能とする。以上のように、携帯端末の内蔵に好適な小型・薄型の光学モジュールを得ることができる。
【００４５】
鏡筒ホルダ４５のガイドの他の実施形態例を図８に基づいて説明する。図８には本発明の第２実施形態例に係るレンズ駆動モジュールを備えたカメラモジュールの断面状態を示してある。図８は、第１実施形態例における図４に対応する状態であり、図４に示した部材と同一部材には同一符号を付し重複する説明は省略してある。
【００４６】
図に示すように、鏡筒ホルダ４５には鏡筒ホルダ４５の往復移動方向に沿って延びる溝穴部材１１３、１１４が設けられている。一方、カバー２５には摺動部材としてのガイド軸部材１１１が下向きに設けられ、ガイド軸部材１１１は溝穴部材１１３に摺動自在に嵌合している。また、ベースプレート２３には摺動部材としてのガイド軸部材１１２が上向きに設けられ、ガイド軸部材１１２は溝穴部材１１４に摺動自在に嵌合している。溝穴部材１１３、１１４がガイド軸部材１１１、１１２に沿って摺動することにより、傾斜が抑制された状態で鏡筒２７の往復移動がガイドされるようになっている。この移動により、撮像素子３０に対する鏡筒２７の合焦点動作が行われる。
【００４７】
鏡筒ホルダ４５の両端で往復移動がガイドされるため、移動精度を左右する部位の長さを短くすることができる。このため、ガイド軸部材１１１、１１２の径、溝穴部材１１３、１１４の内径の高精度化が容易になる。また、高精度化が必要な部位を短くできるので、金属を用いた場合と同じサイズにより、即ち、ガイド軸部材１１１、１１２を太くすることなく傾斜を抑制することができ、カバー２５とガイド軸部材１１１及びベースプレート２３とガイド軸部材１１２を一体の樹脂で成形することができる。樹脂化することにより、部品点数と組み立て工数が削減され、コストを大幅に低減することが可能になる。
【００４８】
尚、鏡筒ホルダ４５に溝穴部材１１３、１１４を設けると共に、カバー２５にガイド軸部材１１１、１１２を設けた例を挙げて説明したが、鏡筒ホルダ４５にキー溝等の溝部材を設け、カバー２５にキー等の部材を設けて鏡筒ホルダ４５の往復移動を案内する構成にすることも可能である。
【００４９】
図９に基づいて送りねじ軸を用いてレンズ群を往復移動させるレンズ駆動モジュールを備えたカメラモジュールの実施形態例を説明する。図９には本発明の第３実施形態例に係るレンズ駆動モジュールを備えたカメラモジュールの概略構成を示してある。
【００５０】
図に示すように、カメラモジュールを構成するベース２０１には固定レンズ群２０２が設けられ、固定レンズ群２０２の後面（図中下側）には撮像素子（ＣＣＤカメラ等）２０３が設けられている。ベース２０１には固定レンズ群２０２の上方を覆うカバー２０４が取り付けられ、固定レンズ群２０２を挟んで撮像素子２０３と対向する位置のカバー２０４には固定レンズ群２０５が取り付けられている。
【００５１】
固定レンズ群２０２、２０５の光路開口の両外側におけるカバー２０４の内部には、ベース２０１及びカバー２０４に亘りレンズ群の光軸方向（図中上下方向）に延びる送りねじ軸２０６が回転自在に支持されている。送りねじ軸２０６のねじ部２０７にはレンズホルダ２２１が螺合し、レンズホルダ２２１には可動レンズ群２０９が保持されている。つまり、送りねじ軸２０６が回転することにより、レンズホルダ２２１が上下方向に往復移動し、固定レンズ群２０２、２０５の間で可動レンズ群２０９が任意の位置に動作されるようになっている。これにより、フォーカシングを行うことができる。
【００５２】
一方、レンズホルダ２２１には支持ホルダ２１４が一体に設けられ、支持ホルダ２１４の上下にはガイド軸２１５がそれぞれ一体に設けられている。カバー２０４側のガイド軸２１５に対応する部位には支持穴部材としての嵌合穴２１６が設けられ、嵌合穴２１６には上部のガイド軸２１５が摺動自在に嵌合している。また、ベース２０１には支持穴部材としての嵌合穴２１７が設けられ、嵌合穴２１７には下部のガイド軸２１５が摺動自在に嵌合している。ガイド軸２１５が嵌合穴２１６、２１７を摺動することにより、傾斜が抑制された状態で可動レンズ群２０９の往復移動がガイドされるようになっている。
【００５３】
ベース２０１と支持ホルダ２１４の間には圧縮コイルばね２２０が設けられ、圧縮コイルばね３５により支持ホルダ２１４が上方に付勢され、がたつきが抑制された状態になっている。送りねじ軸２０６の側部におけるベース２０１とカバー２０４の間にはモータ２１０が取り付けられ、モータ２１０の駆動により送りねじ軸２０６が駆動回転される。
モータ２１０の下端の出力軸には駆動ピニオン２１１が固定され、送りねじ軸２０６の下端には入力歯車２１３が一体に設けられている。駆動ピニオン２１１と入力歯車２１３には中間歯車２１２が噛み合い、駆動ピニオン２１１の駆動回転が入力歯車２１３に伝達される。つまり、モータ２１０の駆動により、駆動ピニオン２１１、中間歯車２１２を介して入力歯車２１３に回転力が伝達され、送りねじ軸２０６が回転するようになっている。
【００５４】
従って、可動レンズ群２０９の移動精度は支持ホルダ２１４の両端のガイド軸２１５と嵌合穴２１６、２１７との嵌合部に依存するため、移動精度を左右する部位の長さを短くすることができる。このため、ガイド軸２１５の径及び嵌合穴２１６、２１７の内径の高精度化が容易になり、傾きを容易に抑制することが可能になる。また、高精度化が必要な部位を短くできるので、金属を用いた場合と同じサイズにより、即ち、ガイド軸２１５を太くすることなく傾斜を抑制することができ、支持ホルダ２１４及びガイド軸２１５を一体の樹脂で成形することができる。樹脂化することにより、部品点数と組み立て工数が削減され、コストを大幅に低減することが可能になる。
【００５５】
尚、可動レンズ群２０９が一つの場合を例に挙げて説明したが、２つの可動レンズ群を移動させてズーミングとフォーカシングを行うレンズ駆動モジュールに適用することも可能である。
【００５６】
従って、上述した各実施形態例を適用することにより、レンズ枠を移動させるためのガイド機構のガイド長さを確保してモジュールの小型化と強度確保を図ることができるレンズ駆動モジュール及びカメラモジュールとなる。
【産業上の利用可能性】
【００５７】
本発明は焦点調節等のために移動される光学部品を備えたレンズ駆動モジュール、特に、薄型電子機器、例えば、カード形デジタルカメラやカメラ付き携帯電話等に搭載するのに適するレンズ駆動モジュール及びこれを備えたカメラモジュールの産業分野で利用することができる。
【図面の簡単な説明】
【００５８】
【図１】本発明の第１実施形態例に係るレンズ駆動モジュールを備えたカメラモジュールの外観図である。
【図２】カメラモジュールの分解斜視図である。
【図３】レンズ駆動モジュールの平面図である。
【図４】図３中のＩＶ−ＩＶ線矢視図である。
【図５】ガイド軸と鏡筒との関係を表す断面図である。
【図６】ステッピングモータの斜視図である。
【図７】ステータの断面図である。
【図８】本発明の第２実施形態例に係るレンズ駆動モジュールを備えたカメラモジュールの断面図である。
【図９】本発明の第３実施形態例に係るレンズ駆動モジュールを備えたカメラモジュールの概略構成図である。
【符号の説明】
【００５９】
１２  鏡筒
２１  レンズ駆動装置
２２  回路基板
２３ｇ、２３ｈ  ピン
２３  ベースプレート
２５  カバー
２６  ステッピングモータ
２７ａ  レンズ
２７  鏡筒
２８  移動手段
２９  減速歯車列
３０  撮像素子
３２  ベース
３５  コイルブロック
３６  ヨーク
３７  ロータ
３８  鉄心
３９  励磁コイル
４０  ロータ通孔
４１  空隙
４３  駆動歯車
４４  回転軸
４５  鏡筒ホルダ
４６  ガイド軸
４８  外方突出部
５２  ナット部材
５３、５８  歯車軸
５５、５６、５７減速歯車
７１  フォトインタラプタ
７３  基板
１０１、１０２  嵌合穴
１１１、１１２  ガイド軸部材
１１３、１１４  溝穴部材
２０１  ベース
２０２、２０５  固定レンズ群
２０３  撮像素子
２０４  カバー
２０６  送りねじ軸
２０７  ねじ部
２０９  可動レンズ群
２１０  モータ
２１１  駆動ピニオン
２１２  中間歯車
２１３  入力歯車
２１４  支持ホルダ
２１５  ガイド軸
２１６、２１７  嵌合穴
２２１  レンズホルダ
【図１】
2007078907.tif 000003
【図２】
2007078907.tif 000004
【図３】
2007078907.tif 000005
【図４】
2007078907.tif 000006
【図５】
2007078907.tif 000007
【図６】
2007078907.tif 000008
【図７】
2007078907.tif 000009
【図８】
2007078907.tif 000010
【図９】
2007078907.tif 000011